(57)【要約】      （修正有）【課題】電子チケットを提供する装置が、携帯端末の電話番号に基づいて電子チケットを提供できるようにする。【解決手段】チケット提供システムＳ１において、チケット提供装置が、電子チケットの予約時に設定された予約電話番号に対応する予約済電子チケットを作成して記憶媒体に記憶させる作成ステップと、チケット提供装置から携帯端末に対して、チケット購入用電話番号と、端末固有情報に関連付けられたトークンとを通知する情報通知ステップと、携帯端末からチケット購入用電話番号に宛てて、トークンを含むショートメールを送信する送信ステップと、チケット提供装置が、ショートメールの送信元の端末電話番号が予約電話番号と一致していると判定したことを条件として、トークンに対応する端末固有情報を有する携帯端末に対して予約済電子チケットを提供する提供ステップと、を有する。【選択図】図１
2019003633.tif 000002
【特許請求の範囲】
【請求項１】
電子チケットを提供するチケット提供装置が、電子チケットの予約時に設定された携帯端末の電話番号である予約電話番号に対応する予約済電子チケットを作成して記憶媒体に記憶させる作成ステップと、
前記携帯端末において、前記予約済電子チケットを取得するために用いられるアプリケーションソフトウェアが起動すると、前記チケット提供装置から前記携帯端末に対して、チケット購入用電話番号と、前記携帯端末に固有の端末固有情報又は前記端末固有情報に関連付けられたトークンとを通知する情報通知ステップと、
前記携帯端末から前記チケット購入用電話番号に宛てて、前記端末固有情報又は前記トークンを含むショートメールを送信する送信ステップと、
前記チケット提供装置が、前記ショートメールの送信元の電話番号である端末電話番号が、前記記憶媒体に記憶された前記予約済電子チケットに関連付けられた前記予約電話番号と一致していると判定したことを条件として、前記ショートメールに含まれていた前記端末固有情報を有する前記携帯端末又は前記トークンに対応する前記端末固有情報を有する前記携帯端末に対して前記予約済電子チケットを提供する提供ステップと、
を有するチケット提供方法。
【請求項２】
前記携帯端末が前記送信ステップを実行してから所定の時間が経過した後に、前記携帯端末が、前記端末電話番号が前記予約電話番号と一致しているか否かを判定するための認証要求を行うための操作画面を表示するステップをさらに有する、
請求項１に記載のチケット提供方法。
【請求項３】
前記チケット提供装置が、前記端末電話番号が前記予約電話番号と一致しているか否かを判定した後に、前記チケット提供装置から前記携帯端末にセッションＩＤを送信するステップをさらに有し、
前記提供ステップにおいて、前記チケット提供装置が、前記セッションＩＤを含み、かつ電子チケットを要求するメッセージを前記携帯端末から受信したことを条件として、前記チケット提供装置が作成した電子チケットを前記携帯端末に提供する、
請求項１又は２に記載のチケット提供方法。
【請求項４】
前記送信ステップにおいて、前記アプリケーションソフトウェアを特定するためのアプリケーション特定情報をさらに含む前記ショートメールを送信する、
請求項１から３のいずれか一項に記載のチケット提供方法。
【請求項５】
前記送信ステップの後に、前記チケット購入用電話番号に対応する中継装置が、前記ショートメールから前記端末電話番号及び前記端末固有情報又は前記トークンを抽出し、抽出した前記端末電話番号及び前記トークンを前記チケット提供装置に送信するステップをさらに有する、
請求項１から４のいずれか一項に記載のチケット提供方法。
【請求項６】
前記情報通知ステップの前に、
前記アプリケーションソフトウェアが起動されたことを示す起動通知メッセージを前記携帯端末から前記チケット提供装置に送信するステップと、
前記チケット提供装置が、前記起動通知メッセージを受信したことに応じて前記端末固有情報を作成して前記記憶媒体に記憶させるステップと、
をさらに有する、
請求項１から５のいずれか一項に記載のチケット提供方法。
【請求項７】
前記端末固有情報を作成するステップにおいて、同一の前記携帯端末に対して過去に作成した前記端末固有情報が前記記憶媒体に記憶されている場合、前記記憶媒体に記憶されている前記端末固有情報を消去して、新たな前記端末固有情報を作成する、
請求項６に記載のチケット提供方法。
【請求項８】
前記提供ステップにおいて、前記情報通知ステップにおいて前記端末固有情報又は前記トークンを前記携帯端末に送信してから所定の時間が経過するまでの間に前記ショートメールが送信されたことを条件として、前記予約済電子チケットを前記携帯端末に提供する、
請求項１から７のいずれか一項に記載のチケット提供方法。
【請求項９】
前記作成ステップの前に実行するステップとして、
チケットの予約を受け付けるチケット予約装置がチケットの予約を要求するチケット予約要求を情報入力装置から取得する取得ステップと、
前記チケット予約装置が前記取得ステップにおいて取得した前記チケット予約要求に前記予約電話番号が関連付けられていない場合に、前記情報入力装置に対し、前記予約電話番号を要求する要求ステップと、
前記要求ステップの後に、前記情報入力装置から前記予約電話番号を受信する番号受信ステップと、
をさらに有する、
請求項１から８のいずれか一項に記載のチケット提供方法。
【請求項１０】
前記作成ステップの前に実行するステップとして、
認証コードを中継装置へ送信する第１コード送信ステップと、
前記認証コードを受信した前記中継装置が、前記予約電話番号に宛てて、当該認証コードを含むショートメールを送信する第２コード送信ステップと、をさらに有し、
前記作成ステップでは、前記チケット提供装置は、前記中継装置が前記予約電話番号に宛てて送信した前記認証コードと一致する認証コードを前記携帯端末から前記チケット予約装置が受信した後に、前記予約電話番号に対応する予約済電子チケットを作成して記憶媒体に記憶させる、
請求項９に記載のチケット提供方法。
【請求項１１】
電子チケットを提供するチケット提供装置が、電子チケットの予約時に設定された携帯端末の電話番号である予約電話番号に対応する予約済電子チケットを作成して記憶媒体に記憶させる作成ステップと、
前記携帯端末において、前記予約済電子チケットを取得するために用いられるアプリケーションソフトウェアが起動すると、前記チケット提供装置から前記携帯端末に対して、チケット購入用電話番号と、前記携帯端末に固有の端末固有情報又は前記端末固有情報に関連付けられたトークンとを通知する情報通知ステップと、
前記携帯端末から前記チケット購入用電話番号に宛てて電話発信する発信ステップと、
前記発信ステップの後に、前記端末固有情報又は前記トークンに対応するトーン信号を前記チケット購入用電話番号に対応する装置に送信する送信ステップと、
前記チケット提供装置が、前記電話発信の発信元の電話番号である端末電話番号が、前記記憶媒体に記憶された前記予約済電子チケットに関連付けられた前記予約電話番号と一致していると判定したことを条件として、前記送信ステップにおいて送信された前記端末固有情報を有する前記携帯端末又は前記トークンに対応する前記端末固有情報を有する前記携帯端末に対して前記予約済電子チケットを提供する提供ステップと、
を有するチケット提供方法。
【請求項１２】
電子チケットの予約時に設定された携帯端末の電話番号である予約電話番号に関連付けて電子チケットの予約要求を取得する予約要求取得部と、
前記予約電話番号に関連付けて予約済電子チケットを作成し、作成した前記予約済電子チケットを記憶部に記憶させる作成部と、
前記携帯端末からメッセージを取得するメッセージ取得部と、
前記メッセージ取得部が前記予約済電子チケットの要求メッセージを取得したことに応じて、チケット購入用電話番号と、前記携帯端末に固有の端末固有情報又は前記端末固有情報に関連付けられたトークンとを前記携帯端末に通知する通知部と、
前記携帯端末から前記チケット購入用電話番号に宛てて送信されたショートメールの送信元の電話番号である端末電話番号が、前記記憶部に記憶された前記予約済電子チケットに関連付けられた前記予約電話番号と一致していると判定されたことを条件として、前記ショートメールに含まれていた前記端末固有情報を有する前記携帯端末又は前記トークンに対応する前記端末固有情報を有する前記携帯端末に対して前記予約済電子チケットを提供する提供部と、
を有するチケット提供装置。
【請求項１３】
携帯端末が有するプロセッサを、
予約済電子チケットを取得する動作を開始したことを通知するメッセージをチケット提供装置に送信する送信制御部、
チケット購入用電話番号と、前記携帯端末に固有の端末固有情報又は前記端末固有情報に関連付けられたトークンとを前記チケット提供装置から受信する受信制御部、及び
情報を表示部に表示させる表示制御部として機能させ、
前記送信制御部は、前記チケット購入用電話番号宛てに、前記携帯端末の電話番号及び前記端末固有情報を有する前記携帯端末又は前記トークンを含むショートメールを送信し、
前記受信制御部は、前記送信制御部が前記ショートメールを送信した後に、前記携帯端末の電話番号及び前記端末固有情報に関連付けられた前記予約済電子チケットを前記チケット提供装置から受信し、
前記表示制御部は、前記予約済電子チケットを前記表示部に表示させる、
携帯端末用プログラム。
【発明の詳細な説明】
【技術分野】
【０００１】
本発明は、携帯端末で表示可能な電子チケットを提供するためのチケット提供方法、チケット提供装置及び携帯端末用プログラムに関する。
【背景技術】
【０００２】
従来、イベントに参加するためのチケットを携帯端末に配信する技術が知られている。特許文献１には、携帯端末の電話番号を取得し、取得した電話番号を埋め込んだチケット画像を携帯端末に配信するチケット販売装置が開示されている。携帯端末のユーザがチケットを使って入場する際に、携帯端末は、チケット画像と電話番号を入場管理装置に送信する。入場管理装置は、チケット画像に埋め込まれた電話番号と携帯端末から送信された電話番号とが一致している場合に入場を許可する。このようにすることで、チケットを購入したユーザ自身がチケットを使用する場合にのみ入場が許可され、チケットの複製による不正使用が防止される。
【先行技術文献】
【特許文献】
【０００３】
【特許文献１】特開２００４−０９４４６８号公報
【発明の概要】
【発明が解決しようとする課題】
【０００４】
従来のチケット販売装置は、チケットを購入するユーザの携帯端末の電話番号を取得する必要がある。チケット販売装置が携帯端末の電話番号を取得するためには、携帯端末にインストールされたアプリケーションソフトウェアからチケット販売装置に対して電話番号を送信することが想定される。しかしながら、携帯端末のＯＳ（Operating System）が、携帯端末の電話番号をアプリケーションソフトウェアに出力しない場合、アプリケーションソフトウェアはチケット販売装置に対して、電話番号のように、携帯端末の所有者を特定するための情報を送信することができなかった。したがって、チケット販売装置が携帯端末の電話番号を取得できない場合があるという問題があった。
【０００５】
そこで、本発明はこれらの点に鑑みてなされたものであり、電子チケットを提供する装置が、携帯端末の電話番号に基づいて電子チケットを提供できるようにすることを目的とする。
【課題を解決するための手段】
【０００６】
本発明の第１の態様のチケット提供方法は、電子チケットを提供するチケット提供装置が、電子チケットの予約時に設定された携帯端末の電話番号である予約電話番号に対応する予約済電子チケットを作成して記憶媒体に記憶させる作成ステップと、前記携帯端末において、前記予約済電子チケットを取得するために用いられるアプリケーションソフトウェアが起動すると、前記チケット提供装置から前記携帯端末に対して、チケット購入用電話番号と、前記携帯端末に固有の端末固有情報又は前記端末固有情報に関連付けられたトークンとを通知する情報通知ステップと、前記携帯端末から前記チケット購入用電話番号に宛てて、前記端末固有情報又は前記トークンを含むショートメールを送信する送信ステップと、前記チケット提供装置が、前記ショートメールの送信元の電話番号である端末電話番号が、前記記憶媒体に記憶された前記予約済電子チケットに関連付けられた前記予約電話番号と一致していると判定したことを条件として、前記ショートメールに含まれていた前記端末固有情報を有する前記携帯端末又は前記トークンに対応する前記端末固有情報を有する前記携帯端末に対して前記予約済電子チケットを提供する提供ステップと、を有する。
【０００７】
上記のチケット提供方法は、前記携帯端末が前記送信ステップを実行してから所定の時間が経過した後に、前記携帯端末が、前記端末電話番号が前記予約電話番号と一致しているか否かを判定するための認証要求を行うための操作画面を表示するステップをさらに有してもよい。
【０００８】
また、上記のチケット提供方法は、前記チケット提供装置が、前記端末電話番号が前記予約電話番号と一致しているか否かを判定した後に、前記チケット提供装置から前記携帯端末にセッションＩＤを送信するステップをさらに有し、前記提供ステップにおいて、前記チケット提供装置が、前記セッションＩＤを含み、かつ電子チケットを要求するメッセージを前記携帯端末から受信したことを条件として、前記チケット提供装置が作成した電子チケットを前記携帯端末に提供してもよい。
【０００９】
また、前記送信ステップにおいて、前記アプリケーションソフトウェアを特定するためのアプリケーション特定情報をさらに含む前記ショートメールを送信してもよい。
【００１０】
また、前記送信ステップの後に、前記チケット購入用電話番号に対応する中継装置が、前記ショートメールから前記端末電話番号及び前記端末固有情報又は前記トークンを抽出し、抽出した前記端末電話番号及び前記トークンを前記チケット提供装置に送信するステップをさらに有してもよい。
【００１１】
また、上記のチケット提供方法は、前記情報通知ステップの前に、前記アプリケーションソフトウェアが起動されたことを示す起動通知メッセージを前記携帯端末から前記チケット提供装置に送信するステップと、前記チケット提供装置が、前記起動通知メッセージを受信したことに応じて前記端末固有情報を作成して前記記憶媒体に記憶させるステップと、をさらに有してもよい。
【００１２】
また、前記端末固有情報を作成するステップにおいて、同一の前記携帯端末に対して過去に作成した前記端末固有情報が前記記憶媒体に記憶されている場合、前記記憶媒体に記憶されている前記端末固有情報を消去して、新たな前記端末固有情報を作成してもよい。
【００１３】
前記提供ステップにおいて、前記情報通知ステップにおいて前記端末固有情報又は前記トークンを前記携帯端末に送信してから所定の時間が経過するまでの間に前記ショートメールが送信されたことを条件として、前記予約済電子チケットを前記携帯端末に提供してもよい。
【００１４】
前記作成ステップの前に実行するステップとして、チケットの予約を受け付けるチケット予約装置がチケットの予約を要求するチケット予約要求を情報入力装置から取得する取得ステップと、前記チケット予約装置が前記取得ステップにおいて取得した前記チケット予約要求に前記予約電話番号が関連付けられていない場合に、前記情報入力装置に対し、前記予約電話番号を要求する要求ステップと、前記要求ステップの後に、前記情報入力装置から前記予約電話番号を受信する番号受信ステップと、をさらに有してもよい。
【００１５】
前記作成ステップの前に実行するステップとして、認証コードを中継装置へ送信する第１コード送信ステップと、前記認証コードを受信した前記中継装置が、前記予約電話番号に宛てて、当該認証コードを含むショートメールを送信する第２コード送信ステップと、をさらに有し、前記作成ステップでは、前記チケット提供装置は、前記中継装置が前記予約電話番号に宛てて送信した前記認証コードと一致する認証コードを前記携帯端末から前記チケット予約装置が受信した後に、前記予約電話番号に対応する予約済電子チケットを作成して記憶媒体に記憶させてもよい。
【００１６】
本発明の第２の態様のチケット提供方法は、電子チケットを提供するチケット提供装置が、電子チケットの予約時に設定された携帯端末の電話番号である予約電話番号に対応する予約済電子チケットを作成して記憶媒体に記憶させる作成ステップと、前記携帯端末において、前記予約済電子チケットを取得するために用いられるアプリケーションソフトウェアが起動すると、前記チケット提供装置から前記携帯端末に対して、チケット購入用電話番号と、前記携帯端末に固有の端末固有情報又は前記端末固有情報に関連付けられたトークンとを通知する情報通知ステップと、前記携帯端末から前記チケット購入用電話番号に宛てて電話発信する発信ステップと、前記発信ステップの後に、前記端末固有情報又は前記トークンに対応するトーン信号を前記チケット購入用電話番号に対応する装置に送信する送信ステップと、前記チケット提供装置が、前記電話発信の発信元の電話番号である端末電話番号が、前記記憶媒体に記憶された前記予約済電子チケットに関連付けられた前記予約電話番号と一致していると判定したことを条件として、前記送信ステップにおいて送信された前記端末固有情報を有する前記携帯端末又は前記トークンに対応する前記端末固有情報を有する前記携帯端末に対して前記予約済電子チケットを提供する提供ステップと、を有する。
【００１７】
本発明の第３の態様のチケット提供装置は、電子チケットの予約時に設定された携帯端末の電話番号である予約電話番号に関連付けて電子チケットの予約要求を取得する予約要求取得部と、前記予約電話番号に関連付けて予約済電子チケットを作成し、作成した前記予約済電子チケットを記憶部に記憶させる作成部と、前記携帯端末からメッセージを取得するメッセージ取得部と、前記メッセージ取得部が前記予約済電子チケットの要求メッセージを取得したことに応じて、チケット購入用電話番号と、前記携帯端末に固有の端末固有情報又は前記端末固有情報に関連付けられたトークンとを前記携帯端末に通知する通知部と、前記携帯端末から前記チケット購入用電話番号に宛てて送信されたショートメールの送信元の電話番号である端末電話番号が、前記記憶部に記憶された前記予約済電子チケットに関連付けられた前記予約電話番号と一致していると判定されたことを条件として、前記ショートメールに含まれていた前記端末固有情報を有する前記携帯端末又は前記トークンに対応する前記端末固有情報を有する前記携帯端末に対して前記予約済電子チケットを提供する提供部と、を有する。
【００１８】
本発明の第４の態様の携帯端末用プログラムは、携帯端末が有するプロセッサを、予約済電子チケットを取得する動作を開始したことを通知するメッセージをチケット提供装置に送信する送信制御部、チケット購入用電話番号と、前記携帯端末に固有の端末固有情報又は前記端末固有情報に関連付けられたトークンとを前記チケット提供装置から受信する受信制御部、及び情報を表示部に表示させる表示制御部として機能させ、前記送信制御部は、前記チケット購入用電話番号宛てに、前記携帯端末の電話番号及び前記端末固有情報を有する前記携帯端末又は前記トークンを含むショートメールを送信し、前記受信制御部は、前記送信制御部が前記ショートメールを送信した後に、前記携帯端末の電話番号及び前記端末固有情報に関連付けられた前記予約済電子チケットを前記チケット提供装置から受信し、前記表示制御部は、前記予約済電子チケットを前記表示部に表示させる。
【発明の効果】
【００１９】
本発明によれば、電子チケットを提供する装置が、携帯端末の電話番号に基づいて電子チケットを提供できるようになるという効果を奏する。
【図面の簡単な説明】
【００２０】
【図１】第１実施形態のチケット提供システムの概要を説明するための図である。
【図２】携帯端末の構成を示す図である。
【図３】チケット提供装置の構成を示す図である。
【図４】チケット管理データベースの一例を示す図である。
【図５】予約済電子チケットを取得するためのアプリケーションソフトウェアが表示する画面の遷移を示す図である。
【図６】携帯端末と、チケット提供装置と、中継装置との間の処理の流れを示すシーケンス図である。
【図７】第２実施形態のチケット提供システムの概要を説明するための図である。
【図８】携帯端末と、チケット提供装置と、中継装置との間の処理の流れを示すシーケンス図である。
【図９】チケット提供システムの概要を説明するための図である。
【図１０】チケット提供装置の構成を示す図である。
【図１１】チケット予約装置の構成を示す図である。
【図１２】コンピュータと、携帯端末と、中継装置と、チケット予約装置との間の処理の流れを示すシーケンス図である。
【発明を実施するための形態】
【００２１】
＜第１実施形態＞
［チケット提供システムＳ１の概要］
図１は、第１実施形態のチケット提供システムＳ１の概要を説明するための図である。図１においては、コンピュータ１と、携帯端末２と、チケット提供装置３と、中継装置４とが示されている。コンピュータ１は、ユーザが携帯端末２で表示可能な電子チケットを購入するための各種の情報を入力する情報入力装置である。電子チケットは、何らかの商品又はサービスの提供を受ける資格を有することを示す電子化された情報である。
【００２２】
携帯端末２、チケット提供装置３及び中継装置４は、コンピュータ１から電子チケットの予約を受け付けて、携帯端末２に電子チケットを表示させるチケット提供システムＳ１を構成する。携帯端末２は、例えばスマートフォン又はタブレット端末であり、携帯電話網又はＷｉ−Ｆｉ（登録商標）の無線通信回線及びインターネット等のネットワークを介して、チケット提供装置３及び中継装置４との間でデータを送受信する。
【００２３】
チケット提供装置３は、携帯端末２及び中継装置４との間でデータを送受信することができるサーバである。中継装置４は、携帯端末２及びチケット提供装置３との間でデータを送受信することができるサーバである。本実施の形態では、チケット提供装置３と中継装置４とが異なるサーバである場合について説明するが、チケット提供装置３と中継装置４とが一体のサーバにより構成されていてもよい。
以下、図１を参照しながら、電子チケットを購入するユーザが電子チケットを予約してから電子チケットを使用できるようになるまでの流れを説明する。
【００２４】
まず、ユーザは、コンピュータ１において電子チケットを購入するための操作を行う。具体的には、ユーザは、コンピュータ１において、購入する電子チケットの種別と、電子チケットを表示させる携帯端末２の電話番号、及び決済方法を入力する。コンピュータ１は、チケットの予約を要求するチケット予約要求をチケット提供装置３に送信する（図１における（１））。チケット予約要求は、入力された電子チケットの種別、携帯端末２の電話番号、及び決済に関する情報を含む。
【００２５】
チケット提供装置３は、コンピュータ１からチケット予約要求を受信すると、コンピュータ１において入力された予約電話番号に関連付けて予約済電子チケットのデータを作成し、記憶媒体に記憶させる。予約済電子チケットは、チケット予約要求に含まれている電子チケットの種別に対応する電子チケットである。チケット提供装置３は、予約済電子チケットを記憶媒体に記憶させると、電子チケットの予約が完了したことを示す予約完了通知をコンピュータ１に送信する（図１における（２））。
【００２６】
その後、予約済電子チケットを使用する時に、ユーザは、予約済電子チケットを取得するためのアプリケーションソフトウェアを携帯端末２において起動することにより、携帯端末２に予約済電子チケットを表示させることができる。以下、ユーザが予約済電子チケットを入手するまでの手順について説明する。
【００２７】
ユーザがアプリケーションソフトウェアを起動すると、携帯端末２は、チケット提供装置３に対して起動通知メッセージを送信する（図１における（３））。チケット提供装置３は、起動通知メッセージを受信すると、携帯端末２に固有の端末固有情報（以下、端末固有ＩＤという）を作成する。端末固有ＩＤは、例えば英数字及びアルファベットにより構成された８桁の文字列であり、チケット提供装置３が起動通知メッセージを受けるたびに携帯端末２に割り当てられる。チケット提供装置３は、作成した端末固有ＩＤを携帯端末２に通知する（図１における（４））。チケット提供装置３が、起動通知メッセージを受けるたびに端末固有ＩＤを携帯端末２に通知することにより、ユーザが携帯端末２を機種変更したとしても、ユーザは、機種変更後の携帯端末２を用いて電子チケットを取得することができる。
【００２８】
続いて、携帯端末２は、端末固有ＩＤを正常に受信したことを通知するために、端末固有ＩＤをチケット提供装置３に送信する（図１における（５））。チケット提供装置３は、携帯端末２から端末固有ＩＤを受信すると、携帯端末２を認証するために使用される文字列であるトークンを作成する。トークンは、端末固有ＩＤに基づいて作成され、例えば英数字及びアルファベットにより構成された２０桁の文字列である。チケット提供装置３は、携帯端末２に対して、チケット購入用電話番号と、携帯端末２に固有の端末固有ＩＤに関連付けられたトークンとを通知する（図１における（６））。チケット購入用電話番号は、携帯端末２が、予約済電子チケットに関連付けられた予約電話番号と同一の電話番号を有する携帯端末であることを認証するために用いられる情報を取得する中継装置４の電話番号である。
【００２９】
携帯端末２は、チケット購入用電話番号及びトークンを受信すると、チケット購入用電話番号に宛てて、トークンの文字列を本文とするショートメールを送信する（図１における（７））。ショートメールは、電話番号を用いてメッセージをやり取りできるショートメッセージサービス（ＳＭＳ）で送信可能なメッセージである。携帯端末２が送信するショートメールにおいては、本文にトークンが含まれている。
【００３０】
中継装置４は、携帯端末２からショートメールを受信すると、本文からトークンを抽出するとともに、ショートメールの送信元である携帯端末２の電話番号を特定する。中継装置４は、抽出したトークン、及び特定した電話番号（以下、端末電話番号という）をチケット提供装置３に対して送信する（図１における（８））。中継装置４は、例えば、チケット提供装置３がアクセス可能な所定のＵＲＬ（Uniform Resource Locator）に宛ててトークン及び端末電話番号を送信する。
【００３１】
チケット提供装置３は、トークン及び端末電話番号を受信した後に携帯端末２から認証要求を受信すると（図１における（９））、ショートメールに含まれる端末電話番号が、記憶媒体に記憶された予約済電子チケットに関連付けられた予約電話番号と一致しているかを判定することにより、携帯端末２を認証する（図１における（１０））。チケット提供装置３は、端末電話番号が予約電話番号と一致していると判定したことを条件として、トークンに対応する端末固有ＩＤの携帯端末２に予約済電子チケットを提供する（図１における（１１））。
【００３２】
なお、チケット提供装置３における認証が完了した後に、チケット提供装置３は、予約済電子チケットを送信するために用いられるセッションＩＤを携帯端末２に提供してもよい。この場合、携帯端末２は、セッションＩＤを含むメッセージをチケット提供装置３に送信することにより、予約済電子チケットを取得することができる。
また、上記の説明においては、ユーザがコンピュータ１においてチケットを予約する場合を例示したが、ユーザが携帯端末２においてチケットを予約してもよい。
以下、携帯端末２及びチケット提供装置３の構成について詳細に説明する。
【００３３】
［携帯端末２の構成］
図２は、携帯端末２の構成を示す図である。携帯端末２は、表示部２１と、操作部２２と、通信部２３と、記憶部２４と、制御部２５とを有する。
【００３４】
表示部２１は、ディスプレイである。表示部２１は、制御部２５の制御に基づいて、チケット提供装置３から電子チケットの提供を受けるためのアプリケーションソフトウェアの操作画面を表示する。また、表示部２１は、チケット提供装置３から提供された電子チケットを表示する。
【００３５】
操作部２２は、例えば表示部２１に重ねて設けられたタッチパネルである。操作部２２は、ユーザがタッチした座標を制御部２５に通知する。
【００３６】
通信部２３は、チケット提供装置３及び中継装置４との間でデータを送受信するための通信インターフェースである。通信部２３は、携帯電話網やＷｉ−Ｆｉアクセスポイントに接続するための無線通信モジュールを含んでいる。
【００３７】
記憶部２４は、ＲＯＭ（Read Only Memory）及びＲＡＭ（Random Access Memory）を含んでいる。記憶部２４は、制御部２５が実行するプログラムを記憶している。また、記憶部２４は、チケット提供装置３から提供されたチケット購入用電話番号、トークン、及び電子チケットを記憶する。
【００３８】
制御部２５は、例えばＣＰＵ（Central Processing Unit）である。制御部２５は、記憶部２４に記憶されたプログラムを実行することにより、送信制御部２５１、受信制御部２５２及び表示制御部２５３として機能する。
【００３９】
送信制御部２５１は、ユーザが操作部２２を操作して、電子チケットを取得するためのアプリケーションソフトウェアを起動すると、通信部２３を介して、予約済電子チケットを取得する動作を開始したことを通知する起動通知メッセージをチケット提供装置３に送信する。また、送信制御部２５１は、受信制御部２５２が、チケット提供装置３からチケット購入用電話番号及びトークンを受信すると、チケット購入用電話番号宛てに、受信したトークンを含むショートメールを送信する。
【００４０】
送信制御部２５１は、アプリケーションソフトウェアを特定するためのアプリケーション特定情報をさらに含むショートメールを送信してもよい。このようにすることで、ショートメールを受信した中継装置４が、電子チケットを取得するためのアプリケーションソフトウェアからのショートメールであることを認識し、電子チケットを取得するために必要な処理を実行することが可能になる。
【００４１】
受信制御部２５２は、チケット購入用電話番号と、携帯端末２に固有の端末固有ＩＤに関連付けられたトークンとをチケット提供装置３から受信する。また、受信制御部２５２は、送信制御部２５１がショートメールを送信した後に、携帯端末２の電話番号に関連付けられた予約済電子チケットをチケット提供装置３から受信する。
【００４２】
表示制御部２５３は、表示部２１にテキスト又は画像等の各種の情報を表示させる。表示制御部２５３は、例えば、電子チケットを取得するためのアプリケーションソフトウェアの操作画面を表示部２１に表示させる。また、表示制御部２５３は、受信制御部２５２が受信した予約済電子チケットを表示部２１に表示させる。
【００４３】
［チケット提供装置３の構成］
図３は、チケット提供装置３の構成を示す図である。チケット提供装置３は、通信部３１と、記憶部３２と、制御部３３とを有する。制御部３３は、記憶部３２に記憶されたプログラムを実行することにより、予約要求取得部３３１、作成部３３２、メッセージ取得部３３３、通知部３３４、判定部３３５、及び提供部３３６として機能する。
【００４４】
通信部３１は、インターネット等のネットワークに接続するための通信インターフェースであり、例えばＬＡＮ（Local Area Network）を含んでいる。通信部３１は、携帯端末２及び中継装置４から受信したデータを制御部３３に入力し、制御部３３から入力されたデータを携帯端末２又は中継装置４に送信する。
【００４５】
記憶部３２は、ＲＯＭ、ＲＡＭ及びハードディスク等の記憶媒体を含む。記憶部３２は、制御部３３が実行するプログラムを記憶している。また、記憶部３２は、予約済電子チケットを管理するためのチケット管理データベースを記憶している。
【００４６】
図４は、チケット管理データベースの一例を示す図である。図４（ａ）は、電子チケットの予約が行われているが、予約済電子チケットが携帯端末２に提供されていない状態のチケット管理データベースを示している。図４（ｂ）は、予約済電子チケットのうちの一部が携帯端末２に提供された状態のチケット管理データベースを示している。
【００４７】
チケット管理データベースにおいては、電子チケットの種別を特定するためのチケット種別と、コンピュータ１において予約時に設定された携帯端末２の電話番号である予約電話番号と、提供済フラグとが関連付けられている。提供済フラグは、予約済電子チケットの携帯端末２への提供が完了したか否かを示しており、提供済フラグが「１」の場合、予約済電子チケットが携帯端末２に提供されたことを示している。
【００４８】
図３に戻り、制御部３３の各部の構成について説明する。
予約要求取得部３３１は、電子チケットの予約時に設定された携帯端末２の電話番号である予約電話番号を含む、電子チケットの予約要求をコンピュータ１から取得する。予約要求取得部３３１は、取得した予約要求を作成部３３２に通知する。
【００４９】
作成部３３２は、予約要求取得部３３１から予約要求の通知を受けると、予約電話番号に関連付けて予約済電子チケットを作成し、作成した予約済電子チケットを記憶部３２に記憶させる。具体的には、作成部３３２は、予約要求に含まれている電子チケットの種別と予約電話番号とを関連付けたデータを作成し、図４（ａ）に示したチケット管理データベースに登録する。
【００５０】
メッセージ取得部３３３は、携帯端末２からの各種のメッセージを取得する。例えば、メッセージ取得部３３３は、携帯端末２において電子チケットを取得するためのアプリケーションソフトウェアが起動したことを通知する起動通知メッセージを取得する。また、メッセージ取得部３３３は、携帯端末２が予約電話番号に対応する携帯端末であるか否かの認証を行うことを要求する認証要求メッセージを取得する。メッセージ取得部３３３は、起動通知メッセージを取得したことを通知部３３４に通知する。また、メッセージ取得部３３３は、認証要求メッセージを取得したことを判定部３３５に通知する。
【００５１】
通知部３３４は、メッセージ取得部３３３が起動通知メッセージを取得したことに応じて、携帯端末２に固有の端末固有ＩＤを作成し、作成した端末固有ＩＤを記憶部３２に記憶させる。通知部３３４は、同一の携帯端末２に対して過去に作成した端末固有ＩＤが記憶部３２に記憶されている場合、記憶部３２に記憶されている端末固有ＩＤを消去して、新たな端末固有ＩＤを作成する。通知部３３４は、起動通知メッセージを送信した携帯端末２が過去に端末固有ＩＤを作成した携帯端末２と同一であるかを、例えば起動通知メッセージに含まれているＭＡＣアドレスに基づいて判定することができる。このようにすることで、同一の携帯端末２に対して複数の端末固有ＩＤを割り当ててしまい、複数の電子チケットを提供してしまうことを防止できる。
【００５２】
通知部３３４は、通信部３１を介して、作成した端末固有ＩＤを携帯端末２に通知する。また、通知部３３４は、端末固有ＩＤに関連付けられたトークンを作成する。通知部３３４は、例えば、起動通知メッセージを受けた時刻と端末固有ＩＤとに基づいて、端末固有ＩＤよりも長いトークンを作成する。通知部３３４が、端末固有ＩＤよりも長い文字列のトークンを作成することにより、端末固有ＩＤの数よりも多くのトークンを使用することが可能になる。通知部３３４は、チケット購入用電話番号及びトークンを携帯端末２に通知する。
【００５３】
判定部３３５は、中継装置４から、中継装置４が受信したショートメールの送信元の携帯端末２の電話番号である端末電話番号と、ショートメールに含まれていたトークンとを取得する。判定部３３５は、メッセージ取得部３３３から、認証要求メッセージを取得したことの通知を受けると、認証処理を実行する。具体的には、判定部３３５は、ショートメールを送信した携帯端末２の端末電話番号が、記憶部３２に記憶された予約済電子チケットに関連付けられた予約電話番号と一致しているかを判定する。
【００５４】
判定部３３５は、端末電話番号が予約電話番号と一致している場合、中継装置４から取得したトークンに関連付けられた端末固有ＩＤを有する携帯端末２に予約済電子チケットを提供することを提供部３３６に許可する。判定部３３５は、端末電話番号が予約電話番号と一致していない場合、中継装置４から取得したトークンに関連付けられた端末固有ＩＤを有する携帯端末２に提供部３３６が予約済電子チケットを提供することを禁止する。
【００５５】
なお、トークンには有効期間が設定されていてもよい。具体的には、判定部３３５は、通知部３３４がトークンを携帯端末２に送信してから所定の時間が経過するまでの間にショートメールが送信されたことを条件として、予約済電子チケットを携帯端末２に送信する。例えば、判定部３３５は、予約済電子チケットを使用可能な期間をトークンの有効期間とする。このようにすることで、通知部３３４は、有効期間が経過した後に、同じトークンを再利用することが可能になるので、使用可能なトークンの数が不足することを防止できる。
【００５６】
提供部３３６は、端末電話番号が予約電話番号と一致していると判定部３３５が判定したことを条件として、ショートメールに含まれていたトークンに対応する端末固有ＩＤを有する携帯端末２に対して予約済電子チケットを提供する。具体的には、提供部３３６は、携帯端末２の認証を行うための操作が行われた携帯端末２から、トークンに対応する端末固有ＩＤを含む、認証を要求するメッセージを受信した場合に、判定部３３５から予約済電子チケットを提供することが許可されていることを条件として、セッションＩＤを携帯端末２に送信する。提供部３３６は、携帯端末２からセッションＩＤを含むメッセージを受信すると、中継装置４から受信した端末電話番号と同一の予約電話番号に関連付けられた予約済電子チケットを携帯端末２に送信する。
【００５７】
［予約済電子チケット取得までの流れ］
図５は、予約済電子チケットを取得するためのアプリケーションソフトウェアが表示する画面の遷移を示す図である。図６は、携帯端末２と、チケット提供装置３と、中継装置４との間の処理の流れを示すシーケンス図である。以下、図５及び図６を参照しながら、ユーザが携帯端末２において予約済電子チケットを取得するまでの流れを説明する。
【００５８】
ユーザがアプリケーションソフトウェアを起動すると（Ｓ１１）、携帯端末２は、図５（ａ）に示すように「利用開始」ボタンを表示する。ユーザが「利用開始」ボタンにタッチする操作を行うと（Ｓ１２においてＹＥＳ）、携帯端末２の送信制御部２５１は、起動通知メッセージをチケット提供装置３に送信する。
【００５９】
チケット提供装置３においては、メッセージ取得部３３３が起動通知メッセージを受信すると、通知部３３４が端末固有ＩＤを作成する（Ｓ１３）。通知部３３４は、作成した端末固有ＩＤを携帯端末２に送信する。続いて、携帯端末２は、受信した端末固有ＩＤをチケット提供装置３に送信する。チケット提供装置３は、メッセージ取得部３３３が端末固有ＩＤを受信すると、通知部３３４が端末固有ＩＤに基づいてトークンを作成する（Ｓ１４）。通知部３３４は、作成したトークンをチケット購入用電話番号とともに携帯端末２に送信する。
【００６０】
携帯端末２は、チケット購入用電話番号及びトークンを受信すると、図５（ｂ）に示すように「ＳＭＳ送信」ボタンを表示する。携帯端末２は、ユーザが「ＳＭＳ送信」ボタンにタッチする操作を行うと（Ｓ１５においてＹＥＳ）、送信制御部２５１は、チケット購入用電話番号に宛てて、トークンを含むショートメールを送信する。
【００６１】
中継装置４は、ショートメールを受信すると、受信したショートメールの本文に含まれているトークンを抽出する（Ｓ１６）。中継装置４は、取り出したトークン、及びショートメールの送信元の電話番号、すなわち携帯端末２の端末電話番号をチケット提供装置３に送信する。
【００６２】
続いて、携帯端末２は、ショートメールを送信すると、図５（ｃ）に示すように、「認証する」ボタンを表示する。ユーザが「認証する」ボタンにタッチする操作を行うと（Ｓ１７においてＹＥＳ）、送信制御部２５１は、端末固有ＩＤを含む認証要求をチケット提供装置３に送信する。なお、表示制御部２５３は、ショートメールを送信後、チケット提供装置３が、トークン及び携帯端末２の端末電話番号を中継装置４から取得するために必要な所定の時間を待機した後に、認証要求を行うための操作画面として「認証する」ボタンを表示することが好ましい。このようにすることで、チケット提供装置３が認証できる状態になる前に認証要求がチケット提供装置３に送信されてしまうことを防止できる。
【００６３】
チケット提供装置３の判定部３３５は、携帯端末２から認証要求を受けると、認証要求に含まれている端末固有ＩＤに関連付けられたトークンとともに中継装置４から送られてきた端末電話番号を、記憶部３２に記憶された予約電話番号と比較することにより携帯端末２を認証する（Ｓ１８）。判定部３３５は、端末電話番号と予約電話番号とが同一である場合に、携帯端末２が、予約電話番号に対応する携帯端末であると判定し、携帯端末２にセッションＩＤを送信する。
【００６４】
その後、送信制御部２５１は、セッションＩＤを含む電子チケット提供要求をチケット提供装置３に送信する。提供部３３６は、電子チケット提供要求を受信したことに応じて、予約済電子チケットを携帯端末２に送信する（Ｓ１９）。表示制御部２５３は、図５（ｄ）に示すように、受信した予約済電子チケットを表示部２１に表示させる（Ｓ２０）。
【００６５】
［第１実施形態のチケット提供システムＳ１による効果］
以上説明したように、チケット提供システムＳ１においては、チケット提供装置３が、電子チケットの予約時に設定された携帯端末２の電話番号である予約電話番号に対応する予約済電子チケットを作成して記憶媒体に記憶させる。その後、携帯端末２から電子チケットを取得する要求を受けると、チケット提供装置３から携帯端末２に対して、チケット購入用電話番号と、携帯端末２に固有の端末固有ＩＤに関連付けられたトークンとを通知する。そして、携帯端末２は、通知されたチケット購入用電話番号に宛てて、トークンを含むショートメールを送信する。チケット提供装置３は、中継装置４から送信される情報に基づいて、ショートメールに含まれているトークンを特定するとともに、ショートメールの送信元電話番号である携帯端末２の端末電話番号を特定する。
【００６６】
チケット提供装置３の判定部３３５は、特定した端末電話番号が、予約電話番号と同一であるかを判定することにより携帯端末２を認証し、端末電話番号が予約電話番号と同一である場合に、提供部３３６がショートメールに含まれていたトークンに対応する端末固有ＩＤを有する携帯端末２に対して電子チケットを提供する。このようにすることで、チケット提供装置３は、携帯端末２のアプリケーションソフトウェアが携帯端末２の電話番号を取得できない場合であっても、携帯端末２の電話番号に基づいて携帯端末２を認証し、予約された携帯端末２のみに電子チケットを提供することが可能になる。
【００６７】
［変形例］
上記の説明においては、チケット提供装置３の通知部３３４が、端末固有ＩＤに関連付けられたトークンを作成し、作成したトークンを携帯端末２に通知した。そして、携帯端末２は、トークンを含むショートメールを中継装置４に送信した。これに対して、チケット提供装置３の通知部３３４が、トークンとして端末固有ＩＤ自体を使用し、携帯端末２が、端末固有ＩＤを含むショートメールを中継装置４に送信してもよい。この場合、提供部３３６は、ショートメールに含まれていた端末固有ＩＤを有する携帯端末２に対して電子チケットを提供する。このように、トークンの代わりに端末固有ＩＤを使用することにより、処理手順を削減するとともに、チケット提供装置３が管理するデータ量を削減することができる。
【００６８】
＜第２実施形態＞
第１実施形態のチケット提供システムＳ１においては、携帯端末２から中継装置４に対して、端末電話番号及び端末固有ＩＤ又はトークンを含むショートメールを送信した。これに対して、第２実施形態のチケット提供システムＳ２においては、携帯端末２がショートメールを送信する代わりに、携帯端末２から中継装置４に対して電話発信を行った後に、ユーザが端末固有ＩＤ又はトークンを携帯端末２において入力する点でチケット提供システムＳ１と異なる。
【００６９】
図７は、チケット提供システムＳ２の概要を説明するための図である。以下、図１に示したチケット提供システムＳ１の概要と相違する点のみを説明する。
【００７０】
チケット提供装置３が、携帯端末２に対して、チケット購入用電話番号と、携帯端末２に固有の端末固有ＩＤに関連付けられたトークンとを通知すると（図７における（６））、携帯端末２はトークンの番号を表示する。続いて、携帯端末２は、チケット購入用電話番号に対応する中継装置４に対して電話発信を行う（図７における（２１））。携帯端末２が自動的に電話発信を行ってもよく、携帯端末２がユーザに電話発信を促す表示を行い、ユーザの操作に応じて携帯端末２が電話発信を行ってもよい。
【００７１】
中継装置４は、電話の着信を受けると、電話着信時に送信されてくる発信元番号を端末電話番号として認識する。そして、中継装置４は、トークンの入力を促す音声ガイダンスを携帯端末２に送信する（図７における（２２））。携帯端末２のユーザは、音声ガイダンスに応じて、表示されていたトークンの番号を入力する。携帯端末２は、入力されたトークンの番号に対応するＤＴＭＦ（Dual-Tone Multi-Frequency）信号を中継装置４に送信する（図７における（２３））。中継装置４は、受信したＤＴＭＦ信号に基づいてトークンを認識する。中継装置４は、電話着信時に認識した端末電話番号及びＤＴＭＦ信号に基づいて認識したトークンをチケット提供装置３に送信する（図７における（８））。
【００７２】
図８は、携帯端末２と、チケット提供装置３と、中継装置４との間の処理の流れを示すシーケンス図である。ステップＳ１４においてチケット提供装置３がトークンを作成するところまでは、図６に示したシーケンス図と同一である。携帯端末２は、チケット購入用電話番号及びトークンを受信すると、受信したトークンを表示（Ｓ２１）。ここで、携帯端末２は、チケット購入用電話番号をトークンとともに表示してもよい。
【００７３】
携帯端末２は、電話発信操作が行われたと判定すると（Ｓ２２においてＹＥＳ）、チケット購入用電話番号に対して電話発信を行う。携帯端末２が電話発信を行うと、電話交換網から中継装置４に対して携帯端末２の端末電話番号が通知される。中継装置４は、電話着信を受けると、トークンを入力することを促す音声ガイダンスを携帯端末２に送信する。
【００７４】
携帯端末２のユーザが、ステップＳ２１において表示されたトークンを入力すると（Ｓ２３）、携帯端末２は、トークンの番号に対応するＤＴＭＦ信号を送信する。中継装置４は、ＤＴＭＦ信号を受信すると、ＤＴＭＦ信号が示すトークンを認識し、端末電話番号及びトークンをチケット提供装置３に送信する。以下の手順は、図６に示したシーケンス図と同一である。
【００７５】
なお、図８においては、ステップ１７において認証操作が行われたことに応じて、携帯端末２からチケット提供装置３に認証要求が送信される手順を示している。この場合、携帯端末２のユーザは、ステップＳ２３においてトークンを入力した後に通話を終了し、別途、ステップＳ１７の認証操作を実行することになる。
【００７６】
これに対して、認証が完了するまでの間、携帯端末２が中継装置４と通話状態を維持するようにしてもよい。この場合、中継装置４は、携帯端末２からトークンを受信すると、携帯端末２に対して、「認証が完了するまでお待ちください」という音声ガイダンスを流す。そして、中継装置４は、携帯端末２において認証操作が行われなくても、チケット提供装置３に対して認証要求を行い、認証が完了した時点で「認証が完了しました」という音声ガイダンスを携帯端末２に流す。
【００７７】
［第２実施形態のチケット提供システムＳ２による効果］
以上説明したように、チケット提供システムＳ２においては、携帯端末２がショートメールを送信する代わりに、電話発信を行った後にトークンに対応するＤＴＭＦ信号を中継装置４に送信する。このようにすることで、ショートメールを送信する機能がない携帯端末２においても、チケット提供システムＳ１と同様の効果を得ることができる。
【００７８】
なお、チケット提供システムＳ２においても、チケット提供装置３から携帯端末２にトークンを送信し、携帯端末２から中継装置４にトークンを送信する代わりに、チケット提供装置３から携帯端末２に端末固有ＩＤを送信し、携帯端末２から中継装置４に端末固有ＩＤを送信してもよい。
【００７９】
＜第３実施形態＞
［チケット提供システムＳ３の概要］
第１実施形態及び第２実施形態のチケット提供システムＳ１及びＳ２においては、チケットの予約を受け付ける装置と、携帯端末２に電子チケットを表示させる装置とが同じである場合の例について説明した。これに対し、本実施形態の例では、チケットの予約を受け付けるチケット予約装置と、携帯端末２に電子チケットを表示させるチケット提供装置が異なる装置である場合の例について説明する。
【００８０】
図９は、チケット提供システムＳ３の概要を説明するための図である。図９は、コンピュータ１と、携帯端末２と、中継装置４と、チケット提供装置５０と、チケット予約装置６０とを示す。第３実施形態のチケット提供装置５０は、第１実施形態のチケット提供装置３の機能のうちの携帯端末２に電子チケットを表示させる機能を実行し、チケット予約装置６０は、第１実施形態のチケット提供装置３の機能のうちのチケットの予約を受け付ける機能を実行する。図９の携帯端末２及び中継装置４については、第１実施形態の携帯端末２及び中継装置４と同様であるので、説明を省略する。
【００８１】
コンピュータ１は、ユーザが電子チケットを購入するための各種の情報を入力する情報入力装置である。ユーザは、コンピュータ１において、購入する電子チケットの種別と、ユーザを特定するためのユーザＩＤ、及び決済方法を入力する。コンピュータ１は、ユーザがコンピュータ１において電子チケットを購入するための操作を行った場合に、入力された電子チケットの種別、ユーザＩＤ及び決済方法に関する情報を含むチケット予約要求をチケット予約装置６０に送信する（図９における（１））。
【００８２】
チケット予約装置６０は、ユーザのチケット予約要求を受け付ける。チケット予約装置６０は、チケット予約要求に含まれるユーザＩＤに関連付けられて登録されているユーザの個人情報を記憶部から読み出す。チケット予約装置６０は、読み出したユーザの個人情報に関連付けてユーザの携帯電話番号が登録されているか否かを判定する。チケット予約装置６０は、読み出したユーザの個人情報においてユーザの携帯電話番号が登録されていないと判定した場合、コンピュータ１に対し、ユーザの携帯電話番号を要求する（図９における（２））。コンピュータ１は、チケット予約装置６０からの要求に応答して、ユーザの携帯電話番号をチケット予約装置６０へ送信する（図９における（３））。
【００８３】
チケット予約装置６０は、コンピュータ１から携帯電話番号を受信した場合に、コンピュータ１から受信した携帯電話番号をユーザＩＤに関連付けて記憶部に登録する。チケット予約装置６０は、コンピュータ１から受け付けたチケット予約要求の内容を示す予約情報をチケット提供装置５０へ通知する。さらに、チケット予約装置６０は、コンピュータ１から受信した携帯電話番号を予約電話番号としてチケット提供装置５０へ通知する（図９における（４））。
【００８４】
チケット提供装置５０は、チケット予約装置６０から予約情報及び予約電話番号を通知された場合に、予約情報に含まれている電子チケットの種別に対応する予約済み電子チケットを作成し（図９における（５））、作成した予約済み電子チケットを予約電話番号に関連付けて記憶部に記憶する。図９における（６）から（１４）までの処理については、図１の（３）から（１１）までの処理と同じであるため、説明を省略する。
【００８５】
［チケット提供装置５０の構成］
図１０は、チケット提供装置５０の構成を示す図である。図３と比較すると、予約要求取得部３３１の代わりに情報取得部５０１を備える点が異なる。同一の機能ブロックについては同じ符号を付して説明を省略する。情報取得部５０１は、通信部３１を介して、予約情報及び予約電話番号をチケット予約装置６０から取得する。情報取得部５０１は、取得した予約情報及び予約電話番号を作成部３３２に通知する。
【００８６】
作成部３３２は、情報取得部５０１から予約情報及び予約電話番号の通知を受けると、予約電話番号に関連付けて予約済電子チケットを作成し、作成した予約済電子チケットを記憶部３２に記憶させる。具体的には、作成部３３２は、予約情報に含まれている電子チケットの種別と予約電話番号とを関連付けたデータを作成し、図４（ａ）に示したチケット管理データベースに登録する。
【００８７】
［チケット予約装置６０の構成］
図１１は、チケット予約装置６０の構成を示す図である。チケット予約装置６０は、通信部６１、記憶部６２及び制御部６３を備える。通信部６１は、コンピュータ１、携帯端末２、中継装置４及びチケット提供装置５０と通信するためのインターフェースである。記憶部６２は、ＲＯＭ及びＲＡＭを含んでいる。記憶部６２は、制御部６３が実行するプログラムを記憶している。
【００８８】
制御部６３は、例えばＣＰＵである。制御部６３は、記憶部６２に記憶されたプログラムを実行することにより、取得部６３１及び通信制御部６３２として機能する。取得部６３１は、通信部６１を介して、チケットの予約を要求するチケット予約要求をコンピュータ１から取得する。取得部６３１は、取得したチケット予約要求に含まれるユーザＩＤを抽出する。取得部６３１は、抽出したユーザＩＤに関連付けられた携帯電話番号が記憶部６２に登録されているか否かを判定し、判定結果を通信制御部６３２へ通知する。
【００８９】
通信制御部６３２は、通信部６１を介して、コンピュータ１、携帯端末２、中継装置４及びチケット提供装置５０と通信する。通信制御部６３２は、抽出したユーザＩＤに関連付けられた携帯電話番号が記憶部６２に登録されていると取得部６３１が判定した場合、電子チケットの予約が完了したことを示す予約完了通知をコンピュータ１へ送信する。
【００９０】
通信制御部６３２は、取得部６３１が取得したチケット予約要求に関連付けられた携帯電話番号が記憶部６２に登録されていないと判定した場合に、コンピュータ１に対し、携帯電話番号を要求する。例えば、通信制御部６３２は、携帯電話番号を入力するための入力フォームをコンピュータ１のディスプレイに表示させる。通信制御部６３２は、コンピュータ１に携帯電話番号を要求した後、コンピュータ１から携帯電話番号を受信する。
【００９１】
通信制御部６３２は、携帯端末２のユーザのなりすまし等の抑制のために、受信した携帯電話番号に基づいて認証コードを生成する。認証コードは、例えば携帯電話番号を含む英数字及びアルファベットにより構成された２０桁の文字列である。通信制御部６３２は、受信した携帯電話番号と、生成した認証コードとを中継装置４へ送信する。
【００９２】
通信制御部６３２は、受信した携帯電話番号宛てに中継装置４が認証コードを含むショートメールを送信した後に、送信した認証コードと一致する認証コードをコンピュータ１又は携帯端末２から受信した場合に、チケット予約者がこの携帯電話番号のユーザ本人であると判定する。通信制御部６３２は、この場合、受信した携帯電話番号と、取得部６３１が取得したユーザＩＤとを関連付けて記憶部６２に登録し、電子チケットの予約が完了したことを示す予約完了通知をコンピュータ１へ送信する。
【００９３】
通信制御部６３２は、受信した携帯電話番号に宛てて中継装置４が送信した認証コードと一致する認証コードをコンピュータ１から受信した後に、予約情報をチケット提供装置５０へ通知するとともに、通知した予約情報に対応する予約済電子チケットを作成することをチケット提供装置５０に指示する。このとき、チケット予約装置６０は、コンピュータ１から受信した携帯電話番号を予約電話番号としてチケット提供装置５０へ通知する。作成された予約済電子チケットは、通知した予約電話番号に関連付けてチケット提供装置５０の記憶媒体に記憶される。
【００９４】
一方、通信制御部６３２は、受信した携帯電話番号宛てに中継装置４が認証コードを含むショートメールを送信した後にこの認証コードと一致する認証コードを受信しない場合に、予約済電子チケットの作成をチケット提供装置５０に指示しない。
【００９５】
［チケット予約時の処理の流れ］
図１２は、コンピュータ１と、携帯端末２と、中継装置４と、チケット予約装置６０との間の処理の流れを示すシーケンス図である。この処理は、ユーザがコンピュータ１において電子チケットを購入するための操作を行ったときに開始される。
【００９６】
まず、コンピュータ１は、ユーザがコンピュータ１において電子チケットを購入するための操作を行った場合に、入力された電子チケットの種別、ユーザＩＤ及び決済方法に関する情報を含むチケット予約要求をチケット予約装置６０に送信する。チケット予約装置６０の取得部６３１は、取得したチケット予約要求に含まれるユーザＩＤに関連付けられた携帯電話番号が記憶部６２に登録されているか否かを判定する（Ｓ３１）。
【００９７】
チケット予約装置６０の通信制御部６３２は、取得したチケット予約要求に含まれるユーザＩＤに関連付けられた携帯電話番号が記憶部６２に登録されていないと取得部６３１が判定した場合（Ｓ３１のＮＯ）、コンピュータ１に対し、携帯電話番号を要求する。コンピュータ１は、チケット予約装置６０へ携帯電話番号を送信する。
【００９８】
通信制御部６３２は、受信した携帯電話番号に基づいて認証コードを生成する。通信制御部６３２は、生成した認証コードと、受信した携帯電話番号とを中継装置４へ送信する。中継装置４は、チケット予約装置６０から受信した携帯電話番号宛てに、受信した認証コードを含むショートメールを送信する。例えば、中継装置４は、認証コードを本文とするショートメールを送信する。
【００９９】
ユーザは、携帯端末２が受信したショートメールに含まれる認証コードを確認する。ユーザは、確認した認証コードをコンピュータ１に入力し、コンピュータ１は、入力された認証コードをチケット予約装置６０へ送信する。例えば、コンピュータ１は、入力された認証コードを電子メールによりチケット予約装置６０へ送信する。
【０１００】
通信制御部６３２は、受信した認証コードと、受信した携帯電話番号へ宛てて中継装置４が送信した認証コードとが一致するか否かを判定する。通信制御部６３２は、受信した認証コードと、受信した携帯電話番号へ宛てて中継装置４が送信した認証コードとが一致する場合に、受信したチケット予約要求の内容を示す予約情報をチケット提供装置５０へ送信し、受信した携帯電話番号を予約電話番号としてチケット提供装置５０へ送信する。また、通信制御部６３２は、予約完了通知をコンピュータ１へ送信する。チケット提供装置５０の作成部３３２は、情報取得部５０１が取得した予約電話番号に関連付けて予約済電子チケットを作成し、作成した予約済電子チケットを記憶部３２に記憶させ（Ｓ３２）、処理を終了する。
【０１０１】
また、通信制御部６３２は、Ｓ３１の判定において取得したチケット予約要求に含まれるユーザＩＤに関連付けられた携帯電話番号が記憶部６２に登録されていると取得部６３１が判定した場合に（Ｓ３１のＹＥＳ）、受信したチケット予約要求の内容を示す予約情報をチケット提供装置５０へ送信し、登録されている携帯電話番号を予約電話番号としてチケット提供装置５０へ送信する。通信制御部６３２は、予約完了通知をコンピュータ１へ送信する。チケット提供装置５０の作成部３３２は、情報取得部５０１が取得した予約電話番号に関連付けて予約済電子チケットを作成し、作成した予約済電子チケットを記憶部３２に記憶させる（Ｓ３２）。その後の処理は、図６に示した処理の流れと同様である。
【０１０２】
本実施形態によれば、通信制御部６３２は、取得部６３１が取得したチケット予約要求に関連付けられた携帯電話番号が記憶部６２に登録されていない場合に（Ｓ３１のＮＯ）、コンピュータ１に対し、携帯電話番号を要求する。このため、チケット予約時に携帯電話番号の取得漏れが生じることを抑制することができる。
【０１０３】
また、本実施形態によれば、通信制御部６３２は、受信した携帯電話番号に宛てて認証コードを送信し、送信した認証コードと一致する認証コードを受信した後に予約済み電子チケットを作成する。このような構成により、通信制御部６３２は、他者の携帯電話番号の無断使用等を抑制することができる。また、通信制御部６３２は、チケット予約時に携帯端末２のユーザであるか否かを認証し、判定部３３５は、予約済電子チケットを発券・入場する段階においてチケット予約時と同一の携帯端末２であるか否かを認証するので、認証の精度をより高めることができる。
【０１０４】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【０１０５】
例えば、上記の説明においては、チケット提供装置３と中継装置４とが別装置の場合を例示したが、チケット提供装置３が中継装置４の機能を内蔵していてもよい。また、第１実施形態から第３実施形態では、コンピュータ１と携帯端末２とが別の装置である例について説明したが、本発明はこれに限定されない。例えば、コンピュータ１が携帯端末２であってもよい。
【符号の説明】
【０１０６】
１  コンピュータ
２  携帯端末
３  チケット提供装置
４  中継装置
２１  表示部
２２  操作部
２３  通信部
２４  記憶部
２５  制御部
３１  通信部
３２  記憶部
３３  制御部
５０  チケット提供装置
６０  チケット予約装置
６１  通信部
６２  記憶部
６３  制御部
２５１  送信制御部
２５２  受信制御部
２５３  表示制御部
３３１  予約要求取得部
３３２  作成部
３３３  メッセージ取得部
３３４  通知部
３３５  判定部
３３６  提供部
６３１  取得部
６３２  通信制御部
６３３  認証部
【図１】
2019003633.tif 000003
【図２】
2019003633.tif 000004
【図３】
2019003633.tif 000005
【図４】
2019003633.tif 000006
【図５】
2019003633.tif 000007
【図６】
2019003633.tif 000008
【図７】
2019003633.tif 000009
【図８】
2019003633.tif 000010
【図９】
2019003633.tif 000011
【図１０】
2019003633.tif 000012
【図１１】
2019003633.tif 000013
【図１２】
2019003633.tif 000014